(57)【要約】【課題】幼児などの手や足などが清掃装置の清掃装置と手摺ベルトの間に引き込まれた場合に手摺ベルトの安全装置を作動させることができる手摺ベルトの清掃装置を提供することである。【解決手段】乗客コンベアの手摺ベルト２の出入口３近傍に設置される清掃装置本体４と、前記手摺ベルト２の表面に当接して消毒液などを塗り付けるよう前記清掃装置本体４内に設けられた清掃部材６と、該清掃部材６に消毒液などを供給する消毒液供給手段２６と、前記清掃装置本体４の前記手摺ベルト２の出入口３と反対側に、前記手摺ベルト２の動作を妨げない程度の隙間をおいて前記手摺ベルトに沿って設けられた受部材８と、該受部材８に応力が加わると、前記手摺ベルト２の出入口３に設けられた安全装置９に応力を伝える応力伝達部材１０と、を備えたことを特徴とする手摺ベルトの清掃装置である。【選択図】　　　図３
2004002036.tif 000002
【特許請求の範囲】
【請求項１】
乗客コンベアの手摺ベルトの出入口近傍に設置される清掃装置本体と、前記手摺ベルトの表面に当接して消毒液などを付着させるよう前記清掃装置本体内に設けられ、手摺ベルトが移動すると、それに連動して回転する清掃部材と、該清掃部材に消毒液などを供給する消毒液供給手段と、前記清掃部材の回転を減速させて前記消毒液供給手段に伝える減速部と、を備えた手摺ベルトの清掃装置であって、前記消毒液供給手段は、前記減速部によって減速されて伝えられた清掃部材の回転に連動して消毒液を供給するように構成されていることを特徴とする手摺ベルトの清掃装置。
【発明の詳細な説明】
【０００１】
【発明の属する技術分野】
本発明は、エスカレータや動く歩道など乗客コンベアの手摺ベルトの清掃装置に関する。
【０００２】
【従来の技術】
従来から、エスカレータや動く歩道など乗客コンベアの手摺ベルトの清掃装置として、手摺ベルトの動力を利用するものがある。すなわち、従来の手摺ベルトの清掃装置は、図１０及び１１に示すように乗客コンベアの手摺ベルト１００の出入口１０２の外側に設置される清掃装置本体１０４と、前記手摺ベルト１００の表面１００Ａに当接して消毒液、洗浄液などを付着させるよう清掃装置本体１０４内に設けられた清掃部材１０６と、清掃部材１０６の下方に設けられた消毒液槽１０８内の消毒液などに浸され、清掃部材１０６の表面に当接して回転することによってその表面に消毒液、洗浄液などを付着させる消毒液供給部材１１０と、消毒液タンク１１２内の消毒液を消毒液槽１０８まで供給する消毒液供給ポンプ１１４と、を備え、手摺ベルト１００を移動させることによって手摺ベルト１００の表面１００Ａに消毒液などを塗り付けて清掃を行うようにしたものがある。
【０００３】
ところで、乗客コンベアの手摺ベルト１００の出入口１０２には、手摺ベルト１００の移動に伴って幼児などの手や足などが手摺ベルト１０と床との間又は手摺ベルト１０と出入口１０２との間に引き込まれるのを防止するために、手摺ベルト１００の安全装置が取り付けてある。この手摺ベルトの安全装置は、図１２に示すように、手摺ベルト１００の出入口１０２から手摺ベルトに沿って突出する突出部材１１８を備え、幼児などの手や足などが手摺ベルト１００と床との間に又は手摺ベルト１００と出入口１０２の間に引き込まれて、この突出部材１１８に応力が加わると、手摺ベルト１００の移動が停止するよう構成されている。
【０００４】
【発明が解決しようとする課題】
しかしながら、従来の手摺ベルトの清掃装置は、上述したように手摺ベルト１００の出入口１０２の外側に設置されるので、幼児などの手や足などが手摺ベルト１００の移動に伴って清掃装置と手摺ベルト１００の間に引き込まれた場合であっても、手摺ベルトの安全装置が作動しないという問題があり、そのため、従来の手摺ベルトの清掃装置は、図１１に示すように手摺ベルト１００の出口側にしか設けることができず、入口側には設けることができなかった。このため、従来の手摺ベルトの清掃装置を設けた乗客コンベアは、逆回転させることができず、例えば朝と夕方で正逆回転することを要する地下鉄のエスカレータや、夕方時に全て下りとするデパートのエスカレータなどの手摺ベルトに使用することができなかった。
【０００５】
また、従来の手摺ベルトの清掃装置は、床の裏側からねじ止めして床に直接設置されているため、清掃装置のメンテナンスなどのために清掃装置を取り外す場合、床の裏面からねじを緩める必要があり、その作業は、極めて煩雑である。
【０００６】
そこで、本発明は、手摺ベルトの回転方向如何に拘らず、幼児などの手や足などが清掃装置と手摺ベルトの間に引き込まれた場合に手摺ベルトの安全装置を作動させることができる手摺ベルトの清掃装置を提供することを第１の目的とする。
【０００７】
また、本発明は、床から容易に取り外すことができる手摺ベルトの清掃装置を提供することを第２の目的とする。
【０００８】
【課題を解決するための手段】
上記第１の目的を達成するため、本発明に係る手摺ベルトの清掃装置は、乗客コンベアの手摺ベルトの出入口近傍に設置される清掃装置本体と、前記手摺ベルトの表面に当接して消毒液などを付着させるよう前記清掃装置本体内に設けられた清掃部材と、該清掃部材に消毒液などを供給する消毒液供給手段と、前記清掃装置本体の前記手摺ベルトの出入口と反対側に、前記手摺ベルトの動作を妨げない程度の隙間をおいて前記手摺ベルトに沿って設けられた受部材と、該受部材に応力が加わると、前記手摺ベルトの出入口に設けられた手摺ベルトを停止させる安全装置に応力を伝える応力伝達部材と、を備えたことを特徴とする。
【０００９】
このような構成からなる本発明によれば、幼児などの手や足などが手摺ベルトの移動に伴って清掃装置と手摺ベルトの間に引き込まれると、受部材に応力が加えられるので、次いで応力伝達部材が安全装置に応力を伝えて、手摺ベルトの安全装置を作動させて、手摺ベルトの移動を停止することができる。
【００１０】
本発明に係る手摺ベルトの清掃装置において、前記応力伝達部材は、前記受部材に応力が加わると、前記清掃装置本体から突出して、前記安全装置に応力を伝えるよう構成されていることが好ましく、前記受部材と前記応力伝達部材を連結する連結部材をさらに備え、前記受部材に応力が加えられると、前記受部材、連結部材及び応力伝達部材が一体となって前記手摺ベルトの出入口側に移動するよう構成されていることが好ましい。
【００１１】
本発明に係る手摺ベルトの清掃装置は、前記受部材が加えられた応力から解放されると、前記応力伝達部材を元の位置に復させる復元手段をさらに備えていることが好ましい。このような復元手段を設けないと、応力伝達部材によって安全装置に応力が一旦伝えられると、その状態が継続することになるが、前記復元手段を設けることにより、安全装置に応力が加えられた状態が続くのを防止することができる。
【００１２】
また、本発明に係る手摺ベルトの清掃装置において、前記受部材は、前記手摺ベルトの周りを覆うように構成されていることが好ましく、このような構成により、たとえ手摺ベルトの側面側から手や足などが引き込まれた場合であっても手摺ベルトの安全装置を作動させることができる。この場合、前記受部材は、前記清掃装置本体に対して脱着可能に構成されるとともに、前記手摺ベルトの長手方向に対して幅方向に分割可能に構成されていることが好ましく、この構成により、受部材を容易に手摺ベルトの周りに取り付けることができる。
【００１３】
さらに、上記第２の目的を達成するため、本発明に係る手摺ベルトの清掃装置は、乗客コンベアの手摺ベルトの出入口近傍に設置される清掃装置本体と、前記手摺ベルトの表面に当接して消毒液などを付着させるよう前記清掃装置本体内に設けられた清掃部材と、該清掃部材に消毒液などを供給する消毒液供給手段と、前記清掃装置本体を前記手摺ベルトの出入口に向かってスライドさせることによって、前記清掃装置本体を装着し、前記清掃装置本体を前記手摺ベルトの出入口と反対側に向かってスライドさせることによって、前記清掃装置本体を取外すことができる台部材と、を備えたことを特徴とする。
【００１４】
このように本発明に係る手摺ベルトの清掃装置によれば、台部材を設けているので、前記清掃装置本体を前記手摺ベルトの出入口に向かってスライドさせることによって、手摺ベルトの清掃装置を装着し、清掃装置本体を前記手摺ベルトの出入口と反対側に向かってスライドさせることによって、手摺ベルトの清掃装置を取り外すことができる。
【００１５】
また、本発明に係る手摺ベルトの清掃装置は、乗客コンベアの手摺ベルトの出入口近傍に設置される清掃装置本体と、前記手摺ベルトの表面に当接して消毒液などを付着させるよう前記清掃装置本体内に設けられ、手摺ベルトが移動すると、それに連動して回転する清掃部材と、該清掃部材の当接面に消毒液などを供給する消毒液供給手段と、前記清掃部材の回転を減速させて前記消毒液供給手段に伝える減速部と、を備え、前記消毒液供給手段は、前記減速部によって減速されて伝えられた清掃部材の回転に連動して消毒液を供給するように構成されていることを特徴とする。
【００１６】
このような構成により、手摺ベルトの動作に連動して消毒液の供給を行うことができ、この際、清掃部材の回転が減速部によって減速されて消毒液供給手段に伝えられるので、消毒液が多量に供給されることは防止される。
【００１７】
なお、本発明に係る手摺ベルトの清掃装置において、手摺ベルトに付着させる消毒液などには、消毒液、洗浄液、殺菌液などが含まれる。
【００１８】
【発明の実施の形態】
次に、本発明に係る手摺ベルトの清掃装置の実施例について図面に基づいて説明する。図１は、本実施例に係る手摺ベルトの清掃装置の側面図であり、図２は、その正面図である。また、図３は、図２のＡ−Ａ線に沿った断面図であり、図４は、本実施例に係る手摺ベルトの清掃装置の内部の概略説明図である。
【００１９】
本実施例に係る手摺ベルトの清掃装置は、乗客コンベアの手摺ベルト２の出入口近傍に設置される清掃装置本体４と、手摺ベルト２の表面に当接するよう清掃装置本体４内に設けられた清掃部材６と、清掃装置本体４の手摺ベルト２の出入口３と反対側（図１、３及び４の左側）に、手摺ベルト２の動作を妨げない程度の隙間をおいて手摺ベルトに沿って設けられた受部材８と、受部材８に応力が加わると、手摺ベルト２の出入口に設けられた手摺ベルト２を停止させる安全装置の突出部材９に応力を伝える応力伝達部材１０と、受部材８と応力伝達部材１０を連結する連結部材１２と、を備えている。
【００２０】
清掃装置本体４の外側には、清掃装置本体４全体を覆うカバー部材１４が設けられている。このカバー部材１４の上方は、開口されており、その開口１４Ａの前方から受部材８が突出し、また安全装置の突出部材９がカバー部材１４内に挿入できるよう構成されている。清掃装置本体４の底面には、４本の脚部材１６が設けられている。これら脚部材１６それぞれの底面には、突出部１６Ａが設けられており、この突出部１６Ａは、逆Ｔ字状に形成されている。本実施例に係る手摺ベルトの清掃装置において、清掃装置本体４は、直接床に設置されるのではなく、床に直接設置された台部材１８の上に設けられるよう構成されている。この台部材１８には、図５に示すように清掃装置本体４の４本の脚部材１６の位置に対応して、脚部材１６の突出部１６Ａが挿入可能な孔１８Ａ及びこの孔１８Ａから手摺ベルトの出入口側に延びるスリット１８Ｂが４つずつ形成されており、スリット１８Ｂの内側には、挿入された脚部材１６の突出部１６Ａを固定するロック部材１９が設けられている。ロック部材１９は、スリット１８Ｂに向けて突出する爪部１９Ａを有しており、軸１９Ｂを中心に揺動するよう設けられている。また、このロック部材１９は、その基端部１９Ｃと台部材１９間に設けられたばね２０によって爪部１９Ａが常時スリット１８Ｂ内に向けて突出するように付勢されており、この突出した爪部１９Ａによって挿入された脚部材１６の突出部１６Ａを固定するよう構成されている。そして、ロック部材１９の先端部１９Ｄをばね２０の付勢力に抗して内側（孔１８Ａ及びスリット１８Ｂと反対側）に押すことによってスリット１８Ｂから爪部１９Ａを脱出させ、このロック状態を解除することができる。清掃装置本体４の台部材１８への装着は、先ず、脚部材１６の突出部１８の頭部を孔１８Ａに挿入して、突出部１６Ａをスリット１８Ｂに移動させるように清掃装置本体４を台部材１８に対してスライドさせることによって行うことができる。
【００２１】
清掃部材６は、円柱状に形成されており、手摺ベルト２が移動すると、手摺ベルト２の表面２Ａとの接触摩擦によって連動して回転するように清掃装置本体４内に設けられている。この清掃部材６の下方には、消毒液槽２２とこの消毒液槽２２内の消毒液２４に浸されるとともに清掃部材６の表面６Ａに当接する消毒液供給部材２６が設けられている。消毒液供給部材２６は、円柱状に形成されており、清掃部材６の表面６Ａとの接触摩擦によって消毒部材６の回転に連動して回転して消毒液槽２２内の消毒液２４を清掃部材６の表面６Ａに付着させるよう構成されている。消毒液槽２２は、第１パイプ２８を介して消毒液供給ポンプ３０に接続されており、消毒液供給ポンプ３０は、第２パイプ３２を介して消毒液タンク３４内の消毒液を消毒液槽２２に供給するよう構成されている。この消毒液タンク３４には、第２パイプ３２の末端３２Ａに着脱可能な自動開閉弁付きノズル３６が設けられており、このノズル３６は、第２パイプ３２を消毒液タンク３４から取り外した場合であっても消毒液がノズル３６から漏れないよう構成されている。
【００２２】
また、清掃部材６の側面（図４の手前側）には、清掃部材６と一体となって同軸上を回転する第１Ｖプーリ３８が設けられており、第１Ｖプーリ３８は、その径を清掃部材６の径よりも小さくなるよう形成されている。また、第１Ｖプーリ３８は、その後方（図４の右方向）に設けられた第２Ｖプーリ４０にＶベルト４２によって接続されている。この第２Ｖプーリ４０は、その径を第１Ｖプーリ３８の径よりも大きくなるように形成されており、第１Ｖプーリ３８に連動して回転するよう構成されている。この第２Ｖプーリ４０は、複数の減速ギアを介して消毒液供給ポンプ３０に接続されており、消毒液供給ポンプ３０は、複数の減速ギアによって減速されて伝えられた第２Ｖプーリ４０の回転に連動して稼動するよう構成されている。すなわち、図６に示すように第２Ｖプーリ４０の内側（図４の奥側、図６の右側）には、第２Ｖプーリ４０と一体となって同一中心軸上を回転し、かつ第２Ｖプーリ４０よりも径が小さく形成された第１減速ギア４６が設けられている。この第１減速ギア４６には、第２Ｖプーリ４０と異なる軸を回転軸として回転し、かつ第１減速ギア４６よりも径が大きく形成された第２減速ギア４８が噛合されている。この第２減速ギア４８の内側には、第２減速ギア４８と一体となって同一中心軸上を回転し、かつ第２減速ギア４８よりも径が小さく形成された第３減速ギア５０が設けられている。この第３減速ギア５０には、第２Ｖプーリ４０と独立して同一中心軸上で回転し、かつ第３減速ギア５０よりも径が大きく形成された第４減速ギア５２が噛合されている。この第４減速ギア５２の内側には、第４減速ギア５２と一体となって同一中心軸上を回転し、かつ第４減速ギア５２よりも径が小さく形成された第５減速ギア５４が設けられている。この第５減速ギア５２には、第２減速ギア４８と独立して同一中心軸上を回転し、かつ第５減速ギア５２よりも径が大きく形成された第６減速ギア５５が噛合されている。この第６減速ギア５５の内側には、第６減速ギア５５と一体となって回転するウォーム５６が設けられており、このウォーム５６には、ウォームホイル５８が噛合されている。そして、消毒液供給ポンプ３０は、このウォームホイル５８が一回転する毎に一サイクル作動して、消毒液タンク３４内の消毒液を消毒液槽２２内に供給するよう構成されている。
【００２３】
すなわち、消毒液供給ポンプ３０は、図７に示すように、主としてシリンダ６０と、シリンダ６０内を往復運動するピストン６２と、ピストン６２に往復運動を与えるアーム６４と、を備えており、アーム６４の図７の奥側には、ウォームホイル５８が設けられている。アーム６４は、軸６４Ａを中心に回動することによってピストン６２に往復運動をさせるよう構成されており、このアーム６４には、アーム６４を下方向に付勢するばね６５と、ウォームホイル５８側に突出するようばね（図示省略）によって付勢される、ウォームホイル５８と反対側に移動可能なピン部材６７と、が設けられている。そして、ウォームホイル５８の一側面の中心部側には、アーム６４のピン部材６７を作動させる円状のガイド部６６が形成されている。ガイド部６６には、図８及び９に示すように、外周にウォームホイル５８が形成されている外壁６８と外壁６８と同心円状の内壁７０によって外溝７２が形成されており、内壁７０の内側には、内溝７４が形成されている。これら外溝７２と内溝７４は、内壁７０に形成された切欠き部７０Ａによって連通している。また、内壁７０の内側には、内壁７０の中心Ａと切欠き部７０Ａの反対側の内壁７０に円周が重なる円状の最内壁７６が形成されており、最内壁７６は、内壁７０よりも高く形成されている。さらに、内溝７４には、切欠き部７０Ａと内壁７０の中心Ａを結ぶ直線部７４Ａを底部とし、かつ内壁７０の上面と最内壁７６が接触する部分Ｂを頂部とする斜面７８が形成されている。ピン部材６７の先端は、外溝７２又は内溝７４内に位置するように配置され、上述したピン部材６７自体を付勢するばね（図示省略）によって外溝７２及び内溝７４の底面に当接するように付勢されており、アーム６４を付勢するばね６５によってアーム６４を介してガイド部６６の内壁７０の中心Ａに向かって、すなわち最内壁７６の外周面を圧接するように付勢されている。そして、アーム６４は、ピン部材６７がガイド部６６の外溝７２内の内壁７０の外周面に圧接している場合に、最上位に位置してピストン６２を上昇させ、その陰圧で第１パイプ２８側の一方向弁２９を開、第２パイプ３２側の一方向弁３１を閉とするとともに、ピン部材６７がガイド部６６の内壁７０の中心Ａに最も近い最内壁７６の外周面に圧接している場合に、最下位に位置して、ピストン６２を下降させ、その陽圧で第２パイプ３２側の一方向弁３１を開、第１パイプ２８側の一方向弁２９を閉とするよう配置されている。
【００２４】
したがって、清掃部材６が手摺ベルト２の移動に連動して回転すると、それに連動して第１Ｖプーリ３８及び第２Ｖプーリ４０が回転し、その第２Ｖプーリ４０の回転が第１乃至第６減速ギア４６、４８、５０、５２、５４、５５及びウォーム５６によって減速されてウォームホイル５８に伝わり、そのガイド部６６も回転する。ピン部材６７が内溝７４の内壁７０の中心Ａに位置している場合に（この際、アーム６４の先端及びピストン６２は、最下位に位置している。）、ガイド部６６が例えば図８の矢印Ｘの反時計方向に回転すると、ピン部材６７は、先ず、最内壁７６の外周面に沿って斜面７８上を相対的に移動して、点線で示すように、内壁７０の上面と最内壁７６が接触する部分Ｂに達し、さらに、ガイド部６６が回転すると、ピン部材６７は、外溝７２内に移動する。この際、アーム６４の先端及びピストン６２は最上位に位置しており、このピストン６２などが最下位から最上位まで移動することによって、シリンダ６０内は陰圧となるので、第１パイプ２８側の一方向弁２９が開き、第１パイプ２８を介して、消毒液タンク３４からシリンダ６０内に消毒液が供給される。さらに、ガイド部６６が回転すると、ピン部材６７は、内溝７４の外周面に沿って外溝７２内を相対的に移動し、次いで、切欠き７０Ａに達すると、アーム６４を付勢するばね６５の付勢力により、内壁７０の中心Ａに最も近い最内壁７６の外壁の位置まで移動する。この際、アーム６４の先端及びピストン６２が最上位から最下位の位置まで移動することによってシリンダ６０内は陽圧となるので、第２パイプ３２側の一方向弁３１が開き、第１パイプ２８側の一方向弁２９が閉じて、これによりシリンダ６０内の消毒液は、第２パイプ３２を介して消毒液槽２２に供給される。
【００２５】
受部材８は、手摺ベルト２の動作を妨げない程度の隙間をおいて手摺ベルト２の周りを覆うように断面が有端楕円状に形成されており、本実施例に係る手摺ベルトの清掃装置を手摺ベルト２の出入口３に設置した場合に、清掃装置本体４の手摺ベルト２の出入口と反対側の手摺ベルト２を覆うように清掃装置本体４から突出して連結部材１２に設けられている。また、受部材８は、連結部材１２に対して脱着可能に構成されるとともに、図２に示すように手摺ベルト２を左右方向から容易に囲むことができるように、手摺ベルト２の幅方向に対して分割線８Ａを中心として幅方向に分割可能に構成されている。さらに、受部材８には、左右横方向に突出するフランジ８Ｂが設けられており、このフランジ８Ｂが連結部材１２の端面にねじ止めされている。応力伝達部材１０は、連結部材１２の後方に板状に形成されており、本実施例に係る手摺ベルトの清掃装置は、応力伝達部材１０が手摺ベルトの安全装置の突出部材９に当接するように設置される。
【００２６】
連結部材１２は、後方が応力伝達部材１０を兼ねた構成からなり、清掃装置本体４の側面４Ａの外側に清掃装置本体４を後方から囲むように設けられており、側面が略クランク状の枠材で形成されている。連結部材１２の中間部には、スリット８０が形成されている。また、連結部材１２末端部１２Ａには、揺動部材７９の一端が枢着されており、この揺動部材７９の他端は、清掃装置本体４の側面４Ａに枢着している。そして、連結部材１２は、スリット８０に挿入されるガイドピン７５及び揺動部材７９によって、清掃装置本体４の側面４Ａに対してスライド可能な状態で設置されている。また、清掃装置本体４の両側面４Ａには、連結部材１２が枢着している側の揺動部材７９の一端を連結部材１２の先端側に付勢するばね７７が設けられている。したがって、受部材８、応力伝達部材１０及び連結部材１２は、一体となって本実施例に係る手摺ベルトの清掃装置の前後方向（図３の左右方向）に移動し、清掃装置本体４の側面４ａに設けられたばね７７の付勢力によって常時前側に位置するよう構成されている。
【００２７】
次に、本実施例に係る手摺ベルトの動作について説明する。先ず、手摺ベルト２が移動すると、それに連動して清掃部材６が回転する。清掃部材６が回転すると、第１Ｖプーリ３８、第２Ｖプーリ４０、第１乃至第６減速ギア４６乃至５５、そして、ウォーム５６及びウォームホイル５８によって、清掃部材６の回転が減速されて消毒液供給ポンプ３０に伝えられる。清掃部材６の回転により、消毒液供給ポンプ３０が、一サイクル作動すると消毒液タンク３４から消毒液槽２２に消毒液２４が所定量供給される。消毒液槽２２に消毒液２４が供給されると、消毒液供給部材２６は、清掃部材６に連動して回転することによって、清掃部材６の表面に消毒液を付着させることができ、そして、清掃部材６は、手摺ベルト２に連動して回転することによって、手摺ベルト２に消毒液を塗り付けることができる。
【００２８】
また、本実施例に係る手摺の清掃装置によれば、幼児などの手や足などが手摺ベルトの移動に伴って清掃装置と手摺ベルト２の間に引き込まれても、受部材に応力が加えられると、連結部材１２を前方に引張しているばね７７の弾性に抗して、連結部材１２が後方へ移動し、応力伝達部材によって安全装置の突出部材９に応力を伝えることができるので、手摺ベルトの安全装置を作動させ、事故を防止することができる。
【００２９】
さらに、本実施例に係る手摺の清掃装置によれば、清掃装置本体４の側面４ａに設けられたばね７７の付勢力によって前側に位置するよう構成されているので、手摺ベルト２と清掃装置の間から手や足などが引き抜けば応力材伝達部が元の状態に復し、安全装置の突出部９に応力が加えられた状態が続くのを防止することができる。
【００３０】
【発明の効果】
以上のように、本発明に係る手摺ベルトの清掃装置によれば、受部材に応力が加わると、前記手摺ベルトの出入口に設けられた安全装置に応力を伝える応力伝達部材を備えているので、手摺ベルトの回転方向如何に拘らず幼児などの手や足などが手摺ベルトの移動に伴って清掃装置と手摺ベルトの間に引き込まれた場合であっても、手摺ベルトの安全装置を作動させて、手摺ベルトの移動を停止されることができる。
【００３１】
また、本発明に係る手摺ベルトの清掃装置によれば、台部材を設けているので、前記清掃装置本体を前記手摺ベルトの出入口に向かってスライドさせることによって、手摺ベルトの清掃装置を装着し、清掃装置本体を前記手摺ベルトの出入口と反対側に向かってスライドさせることによって、手摺ベルトの清掃装置を取り外すことができて、清掃装置の設置、取り外しが容易であり、清掃装置のメンテナンス時の時間的ロスが可及的に防止できる。
【図面の簡単な説明】
【図１】本発明に係る手摺ベルトの清掃装置の実施例を示す全体側面図である。
【図２】本実施例に係る手摺ベルトの清掃装置の正面図である。
【図３】図２のＡ―Ａ線に沿った断面図である。
【図４】本実施例に係る手摺ベルトの清掃装置の内部の概略説明図である。
【図５】本実施例に係る手摺ベルトの清掃装置に使用される台部材の平面図である。
【図６】本実施例に係る手摺ベルトの清掃装置に使用される減速部を示す説明図である。
【図７】本実施例に係る手摺ベルトの清掃装置に使用される消毒液供給ポンプの作動要部を示す一部断面図である。
【図８】本実施例に係る手摺ベルトの清掃装置に使用される消毒液供給ポンプとガイド部を兼ねたウォームホイルの平面図である。
【図９】図８のＢ−Ｂ線に沿った断面図である。
【図１０】従来の手摺ベルトの清掃装置の内部を示した概略説明図である。
【図１１】従来の手摺ベルトの清掃装置を手摺ベルトの出入口近傍に設置した状態を示す図である。
【図１２】手摺ベルトの安全装置を示す側面図である。
【符号の説明】
２　　　　手摺ベルト
３　　　　手摺ベルトの出入口
４　　　　清掃装置本体
６　　　　清掃部材
８　　　　受部材
９　　　　安全装置の突出部材
１０　　応力伝達部材
【図１】
2004002036.tif 000003
【図２】
2004002036.tif 000004
【図３】
2004002036.tif 000005
【図４】
2004002036.tif 000006
【図５】
2004002036.tif 000007
【図６】
2004002036.tif 000008
【図７】
2004002036.tif 000009
【図８】
2004002036.tif 000010
【図９】
2004002036.tif 000011
【図１０】
2004002036.tif 000012
【図１１】
2004002036.tif 000013
【図１２】
2004002036.tif 000014